(57)【要約】【課題】パチンコ球の払出装置の羽根車にかかった過剰な押圧力が自然に解消されるようにする。【解決手段】パチンコ球の落下通路１１０の下流端部に相当する球通路１１と、この球通路１１を落下するパチンコ球を下方の払出通路へと送り出すための羽根車２０とが含まれる払出装置１０において、払出が停止しているときの球通路１１内の最下位置のパチンコ球Ｐ０が、上向き状態で定位する羽根板２１により支持されるように設定されている。さらに、パチンコ球Ｐ０が羽根車２０の軸心に沿う方向に押し出されるように羽根板２１の上端面が傾斜面に形成されると共に、球通路１１の通路壁に、押し出されたパチンコ球Ｐ０を通路壁の外側へと送り出すための窓孔１５が設けられる。【選択図】図９
2014132945.tif 000002
【特許請求の範囲】
【請求項１】
パチンコ球を貯留するタンクの下方に、パチンコ球を払い出すための払出装置と、前記タンクから出たパチンコ球を複数個が連なった状態で前記払出装置へと落下させる落下通路とが配置され、前記払出装置には、外周面の等角度位置に羽根板が設けられたモータ駆動の羽根車が含まれ、前記羽根車は上を向いて定位した羽根板の上方に連なるパチンコ球の列の最下位置のパチンコ球を支持し、かつそのパチンコ球を羽根車の回動に従って羽根板間の凹部内に転落させてパチンコ球の払出通路へと導くことが可能なように、前記落下通路の下流端に位置決めされるパチンコ遊技機において、
前記払出装置内の落下通路の通路壁のうちの前記羽根車の軸心と交差する箇所に、前記最下位置のパチンコ球を通路壁の外側へと送り出すための窓孔が開口されると共に、この窓孔を外側より塞ぐ蓋板が設けられ、
各羽根板の上端面は、それぞれ上を向いて定位したときに前記窓孔の方に向かって下がる傾斜面に形成され、
前記蓋板は、開閉動作が可能に支持されるとともに、前記上を向いて定位した羽根板の上端面が上方のパチンコ球の列より羽根車の回転を妨げる強さの荷重を受けたときに前記窓孔の方に押し出された前記最下位置のパチンコ球の押圧力によって開動作し、当該押圧力の解除に応じて復帰動作するように、蓋板が閉じる方向へ付勢されているパチンコ遊技機。
【請求項２】
前記払出装置は、前記蓋板に前記羽根車の回転を妨げる強さの荷重に伴う押圧力が作用しない状態のときに蓋板を閉じた状態に保持するラッチ機構をさらに備えている請求項１に記載されたパチンコ遊技機。
【請求項３】
前記ラッチ機構は、前記羽根車の回転を妨げる強さの荷重に伴う押圧力を受けて一端部が蓋板側へ弾性変形するように前記蓋板の内面に他端部が支持されたバネ板部と、前記バネ板部の変形動作に連動して前記窓孔の開口縁に設けられた受け部と係脱するようにバネ板部の他端部に一体に設けられた掛け金部とを含み、前記掛け金部は、バネ板部が弾性変形していないときは前記受け部に内側より係合し、バネ板部に前記押圧力が作用してバネ板部が弾性変形したときに前記受け部との係合が外れるようになっている請求項２に記載されたパチンコ遊技機。
【発明の詳細な説明】
【技術分野】
【０００１】
本発明は、パチンコ球を払い出すための払出機構を備えたパチンコ遊技機に関する。
【背景技術】
【０００２】
一般的なパチンコ遊技機は、機体の前面側に、役物や入賞口などを含む遊技盤面、パチンコ球を貯留する上下２段の受け皿、パチンコ球の打ち出し用のハンドルなどが設けられ、機体の背面側に制御基板やパチンコ球の払出機構などが設けられている。払出機構には、パチンコ球を貯留するタンク、タンクから機体の幅方向に沿って延びる誘導通路、誘導通路を出たパチンコ球を複数個が連なった状態で落下させる落下通路、落下通路の下流端に達したパチンコ球を下方へと送り出す払出装置、送り出されたパチンコ球を前面側の払出口に導く払出通路などが含まれる。
【０００３】
払出装置には、落下通路の下流端部や払出通路の上流端部にあたる球通路が含まれるほか、業界で一般に「スプロケット」と呼ばれている羽根車やこの羽根車を回転させるためのステッピングモータなどが設けられる。
羽根車は、本体ホイールの外周面に複数の羽根板が等角度間隔で設けられた構成のもので、この羽根車が回転すると、落下通路の最下位置に達したパチンコ球が２枚の羽根板の凹部に捕捉されて下方の払出通路へと送り出される。羽根車の回転が続く間、パチンコ球の送り出しも続くので、誘導通路や落下通路にもパチンコ球の流れが生じる。羽根車が停止すると、最下位置のパチンコ球が羽根車により支持された状態となって、落下通路内のパチンコ球の流れが停止する（例えば特許文献１を参照。）。
【先行技術文献】
【特許文献】
【０００４】
【特許文献１】特許第３８７７３３８号公報
【発明の概要】
【発明が解決しようとする課題】
【０００５】
上記特許文献１には、停止中の回転体（スプロケット）の上方で待機するパチンコ球の球圧をほぼ回転軸に向かう方向に沿って押圧する状態になるようにすることにより、複雑な制動機構がなくとも羽根車が停止している間のパチンコ球列を支持できるようにすると記載されている。しかし、落下通路内に規定を上回る数のパチンコ球が入ったり、ゴミ屑や研磨用の油の付着により落下通路内のパチンコ球の動きが鈍るなどして、羽根車にその駆動トルクを上回る押圧力が作用すると、ステッピングモータの脱調が生じて羽根車が回らなくなり、球詰まり状態になることがある。そうなると、従来は、払出装置を取り外してその内部に詰まった球を取り除くなど、大がかりな作業が必要になり、遊技場内の店員らに大きな負担がかかる。また、長時間遊技が中断されてしまうため、遊技者にも迷惑がかかる。
【０００６】
本発明は上記の問題に着目し、落下通路内のパチンコ球により羽根車に過剰な押圧力がかかった場合に、その不具合が自然に解消されるようにすることを課題とする。
【課題を解決するための手段】
【０００７】
本発明は、パチンコ球を貯留するタンクの下方に、パチンコ球を払い出すための払出装置と、前記タンクから出たパチンコ球を複数個が連なった状態で払出装置へと落下させる落下通路とが配置された構成のパチンコ遊技機に適用される。前記払出装置には外周面の等角度位置に羽根板が設けられたモータ駆動の羽根車が含まれる。前記羽根車は、上を向いて停止した羽根板の上方に連なるパチンコ球の列の最下位置のパチンコ球を支持し、かつそのパチンコ球を羽根車の回動に従って羽根板間の凹部内に転落させてパチンコ球の払出通路へと導くことが可能なように、落下通路の下流端に位置決めされている。
【０００８】
さらに本発明によるパチンコ遊技機では、払出装置内の落下通路の通路壁のうちの前記羽根車の軸心と交差する箇所に、最下位置のパチンコ球を通路壁の外側へと送り出すための窓孔が開口されるとともに、この窓孔を外側から塞ぐ蓋板が設けられる。また、各羽根板の上端面は、それぞれ上を向いて定位したときに窓孔の方に向かって下がる傾斜面に形成される。
蓋板は、開閉動作が可能に支持されるとともに、前記上を向いて定位した羽根板の上端面が上方のパチンコ球の列より羽根車の回転を妨げる強さの荷重を受けたときに窓孔の方に押し出された前記最下位置のパチンコ球の押圧力によって開動作し、当該押圧力の解除に応じて復帰動作するように、蓋板が閉じる方向へ付勢されている。
【０００９】
図１０は、上記構成の払出装置内の最下位置のパチンコ球Ｐ０とこれを支える羽根板２１の傾斜面との関係を示す。
羽根板２１には、図中のパチンコ球Ｐ０のほかにその上方に連なる複数のパチンコ球からの荷重がかかる。この荷重による力（重力）を、図１０では矢印Ｇにより示す。
【００１０】
本発明では、羽根板２１の上面が羽根車の軸心に沿って傾斜しているので、重力Ｇは、傾斜面に直交する分力Ａと傾斜面に沿う分力Ｂとに分解される。傾斜面に直交する分力Ａには傾斜面からの抗力Ｃが釣り合うが、他方の分力Ｂに釣り合う力はないので、この分力Ｂがパチンコ球Ｐ０を傾斜面に沿って転がす力となる。
【００１１】
重力Ｇが大きくなるほどパチンコ球Ｐ０を転がす力Ｂも大きくなるので、球詰まりに近い状態になって落下通路内のパチンコ球により羽根板２１にかかる荷重が過度に大きくなると、最下位置のパチンコ球Ｐ０は傾斜面に沿って落下通路の通路壁まで転がり、通路壁に設けられた窓孔から通路壁の外側に送り出される。その送り出しによって羽根板２１にかかる荷重が軽減され、落下通路が球詰まり状態になるのを防ぐことができる。
【００１２】
しかしながら、羽根板の板面が傾斜していると、パチンコ球列による荷重がさほど大きくない場合でも、最下位置のパチンコ球の落下位置によっては、そのパチンコ球が窓孔まで転がって近傍の通路壁に形成された窓孔から排出される可能性がある。また、羽根車が回転している際に、羽根板により弾かれたパチンコ球が窓孔から飛び出すおそれもある。
この問題に対し、本発明では、窓孔が蓋板により塞がれると共に、この蓋板が閉じる方向に付勢されるので、図１０に示した分力Ｂが弱くて最下位置のパチンコ球Ｐ０による押圧力が蓋板に作用しないうちは、窓孔を閉じた状態にすることができる。分力Ｂが強くなってパチンコ球による押圧力が蓋板に作用すると、蓋板が開放されるが、パチンコ球が送り出されて羽根板にかかる荷重が弱まると蓋板は閉じるので、パチンコ球が無駄に排出されるのを防ぐことができる。
【００１３】
好ましい実施形態の払出装置には、前記蓋板に前記羽根車の回転を妨げる強さの荷重に伴う押圧力が作用しない状態のときに蓋板を閉じた状態に保持するラッチ機構が、さらに設けられる。
好ましい実施形態のラッチ機構は、前記押圧力を受けて一端部が蓋板側へ弾性変形するように前記蓋板の内面に他端部が支持されたバネ板部と、前記バネ板部の変形動作に連動して前記窓孔の開口縁に設けられた受け部と係脱するようにバネ板部の他端部に一体に設けられた掛け金部とを含む。前記掛け金部は、バネ板部が弾性変形していないときは前記受け部に内側より係合し、バネ板部に前記押圧力が作用してバネ板部が弾性変形したときに受け部との係合が外れるようになっている。
【００１４】
上記のラッチ機構によれば、落下通路のパチンコ球がスムーズに落下している状態が続く間は、蓋板は、閉じた状態で安定して保持される。一方、パチンコ球による荷重が大きくなって球詰まりが生じそうになった場合には、羽根板の傾斜面を転がった最下位置のパチンコ球により蓋板が押圧されて、蓋板が開く。蓋板を押圧していた最下位置のパチンコ球が排出されて羽根板にかかる荷重が小さくなると、窓孔が再び蓋板により塞がれて、ラッチ機構によって蓋板が閉じた状態が保持される。
【発明の効果】
【００１５】
本発明によれば、何らかの原因により落下通路内で連なるパチンコ球により羽根車にその回転を妨げるほどの荷重がかかった場合には、落下通路の最下位置に達したパチンコ球が通路の外に排出されるので、荷重が自然に軽減され、球詰まりを防ぐことができる。よって、落下通路に詰まった球を取り除く作業が不要になり、店員らの労力を軽減することができる。また、球詰まりによって遊技が中断するのを防ぐことができ、客サービスが向上する。
【図面の簡単な説明】
【００１６】
【図１】パチンコ遊技機の前面側の構成を示す正面図である。
【図２】上記のパチンコの裏面側の構成を示す背面図である。
【図３】払出装置の内部構成を左側から見た断面図である。
【図４】払出装置の右側面の構成を内部の球通路やパチンコ球との関係と共に示す側面図である。
【図５】払出装置の内部構成を正面側から見た断面図である。
【図６】扉金具の構成を示す斜視図である。
【図７】払出装置の拡大断面図であって、羽根板の傾斜状態や羽根板に支持される最下位置のパチンコ球がバネ板部に及ぼす影響を示す図である。
【図８】バネ板部が変形している状態を示す払出装置の断面図である。
【図９】高さ中央部が破断された払出装置の正面図であって、窓孔が開放されてパチンコ球が送り出されている状態を示す図である。
【図１０】落下通路内の最下位置のパチンコ球とこれを支える羽根板との関係を、両者に作用する力と共に示す説明図である。
【発明を実施するための形態】
【００１７】
図１は、本発明が適用されたパチンコ遊技機１の前面側の構成を示す。
この実施例のパチンコ遊技機１は、円形状の遊技領域を有する遊技盤２が嵌め込まれた本体枠３の遊技盤２の下方に、上皿４、下皿５、発射ハンドル６、一対のスピーカ７，７、押ボタン釦スイッチを有する操作部８などが設けられた構成のものである。本体枠３の上皿４および下皿５に対応する箇所には、それぞれパチンコ球の払出口４０，５０が形成されている。また、遊技盤２は保護用のガラスを備えた前扉９で覆われている。
図示していないが、遊技盤２には、中央に液晶表示器が配備されるほか、入賞口、役物、傷害釘が、それぞれ複数、適所に配置される。
【００１８】
図２は、上記パチンコ遊技機１の背面側の構成を示す。
本体枠３の背面の上部には、遊技島設備（図示せず。）から供給されたパチンコ球を貯留する球タンク１５０が設けられる。
球タンク１５０の底部の一端（図２中では左端）にはパチンコ球の排出口（図示せず。）が開設されている。球タンク１５０の下方には、本体枠３の幅方向に沿って誘導通路１４０が設けられ、さらに誘導通路１４０に遊技盤２の裏面の右側縁に沿って延びる落下通路１１０が連なっている。
【００１９】
落下通路１１０は、本体枠３の高さ中央位置付近でパチンコ球の払出装置１０の内部に入り、この払出装置１０内で払出通路１２０に連なる。払出通路１２０は、払出装置１０を出た後に本体枠３の幅中央部に向かって斜め下方に傾斜しながら２つの通路１２１，１２２に分かれ、一方の通路１２１が前面の上皿４の払出口４０に、他方の通路１２２が下皿５の払出口５０に、それぞれ導かれる。
なお、本体枠３の裏面には、上記の各通路のほか、遊技盤２のアウト口に入ったパチンコ球（アウト球）の排出用通路１３０が設けられる。この通路１３０も下皿５０の払出口５０に連絡するものである。
【００２０】
誘導通路１４０は、上流位置から落下通路１１０に連なる下流位置に向ってやや斜め下に傾斜している。球タンク１５０から誘導通路１４０へと送り出されたパチンコ球は誘導通路１４０内を移動している間に一列に連なる状態となって落下通路１１０に導かれる。遊技盤２の表面側で入賞が成立すると、払出装置１０では、図示しない制御部からの指令に基づき、成立した入賞の種類に応じた数のパチンコ球を落下通路１１０から順に取り込んで払出通路１２０へと送り出す。
【００２１】
図示していないが、払出通路１２０の内部には、払出装置１０から払い出されたパチンコ球を計数するセンサが設けられる。制御部は、センサによる計数値によってパチンコ球の払出数を認識しつつ、払出装置１０の動作を制御する。
【００２２】
以下、図２中に示されている払出装置１０の面を前面として、その構成を説明する。
図３は、払出装置１０の内部構成を示した断面図（図２の紙面に対して垂直な断面を左側面側から見たもの）である。図４は、払出装置１０の右側面図に内部の球通路およびパチンコ球を透過させて示したものである。図５は、図３中のＡ−Ａ線に沿う縦断面図である。なお、各図では、落下通路１１０内に並ぶ複数のパチンコ球のうち、最下位置にあるものを符号Ｐ０により示し、その他のパチンコ球を符号Ｐにより示す。
【００２３】
この実施例の払出装置１０は、球通路１０８を含む樹脂製のケース体１００を本体とする。このケース体１００は一面が開口された一対のケース半体１０１，１０２をそれぞれの開口を接合して成り、その接合によって、前方部分に球通路１０８が形成される。球通路１０８の内部側の通路壁の高さ中央位置には、所定大きさの開口部１４が形成され、その開口箇所の外側に４枚の羽根板２１を備える羽根車２０が配備されている。球通路１０８のうち、羽根車２０より上方の球通路１１（落下通路１１０の下流端部に相当する）は、羽根車２０にかかる球圧を抑制するために複数箇所で屈曲しているのに対し、羽根車２０より下方の球通路１２（払出通路１２０の上流端部に相当する。）は前方側に突出して真っ直ぐ下に延びている。
【００２４】
羽根車２０は、外周面に４枚の羽根板２１が９０度間隔で配置されたホイール２２にギア２３が嵌め込まれた構成のもので、各羽根板２１が開口部１４から球通路１１の内部に出没自由になるように位置合わせされて、ケース体１００の両側板１０３，１０４の間に軸支されている。
【００２５】
ケース体１００の左側板１０３（ケース半体１０１に含まれるもの）の外面の下部位置には、駆動源となるステッピングモータ３０が取り付けられる。ステッピングモータ３０の回転軸はケース体１００の内部に挿入され、その軸に小径のギア３１が取り付けられる。左側板１０３の内面には、ステッピングモータ３０のギア３１と羽根車２０のギア２３とに噛み合う大径のギア３２が取り付けられる。なお、ステッピングモータ３０，羽根車２０，ギア３１，３２は、ケース半体１０１，１０２が接合される前に一方のケース半体１０１に取り付けられる。
【００２６】
球通路１１を含む落下通路１１０の内部には、誘導通路１４０から送り込まれたパチンコ球Ｐが長さ方向に沿って１個ずつ連ねられる。ステッピングモータ３０は、図３に示す方向から見て時計回りに回転し、その回転力がギア３１，３２を介して羽根車２０のギア２３に伝達されて、ギア２３とホイール２２とが一体になって回転する。
【００２７】
この実施例では、ホイール２２が９０度を一単位として回転するように制御すると共に、０度、９０度、１８０度、２７０度のいずれの回転位置においても、いずれか１枚の羽根板２１が上向きの状態で球通路１１内に位置するようにしている。したがって、羽根車２０が停止しているときには、球通路１１内の最下位置のパチンコ球Ｐ０が上向き状態で定位した羽根板２１の上端面に支持された状態で停止し、その状態から羽根車２０が１／４回転する間に、パチンコ球Ｐ０は静止時に当該パチンコ球Ｐ０を支持した羽根板２１とその隣の羽根板２１との間に転落して球通路１２へと送り出される。
【００２８】
図５および図７（１）（２）に示すように、ケース体１００の右側板１０４の球通路１１の終端部に対応する箇所には、パチンコ球Ｐを１個通過させることが可能な大きさの窓孔１５が開口されている。さらに右側板１０４には、この窓孔１５を塞ぐための扉部材６０が取り付けられる。
【００２９】
図６（１）（２）は、上記の扉部材６０を、内面側が上を向く状態にして表した斜視図である。
この実施例の扉部材６０は、金属または樹脂の成形体であって、窓孔１５を塞ぐ大きさの蓋板６１と、この蓋板６１の上端縁に連続するヒンジ軸６２と、蓋板６１の内面に一体に設けられたバネ板部６３とを有する。バネ板部６３は、窓孔１５を通過可能な大きさの板体の一端縁に右側板１０４の厚みに対応する長さの一対の脚部６４，６４と掛け金部６５とが一体に設けられたものである。各脚部６４，６４は、蓋板６１の内面のヒンジ軸６２に対向する側の端縁部に連ねられて、バネ板部６３を蓋板６１に対向させた片持ち状態で支持する。
【００３０】
掛け金部６５は各脚部６４，６４の間に設けられ、その先端には、バネ板部６１の板本体から離れる方向に突出する鉤状突片６６が形成されている。また、扉部材６０の蓋板６１の内面には、バネ板部６３の上端部を嵌め込み可能な矩形状の凹部６７が設けられている。
【００３１】
ケース体１００の右側板１０４の外面には、ヒンジ軸６２を両端位置で回動可能に支持する一対の支持部材１６，１６が設けられている（図４，５等を参照。）。また、右側板１０４の内面の窓孔１５の下端縁にあたる箇所には、上方および羽根板２１の方へと突出する受け部１７が形成される（図６，７等を参照。）。
【００３２】
上記の扉部材６０は、板バネ部６３が設けられた側をケース体１００の側に向けて、ヒンジ軸６２の両端部を右側板１０４の各支持部材１６，１６に支持された状態にすることにより、ケース体１００に回動可能に取り付けられる。ただし、ヒンジ軸６２にはバネ７０が巻かれ、そのバネ７０の一端が蓋板６１に固定され、他端が右側板１０４に固定されるため、そのバネ力により蓋板６１は閉じる方向に付勢される。また、蓋板６１が閉じているときには、バネ板部６３の掛け金部６５の突片６６の背面と窓孔１５の下端縁の受け部１７の前面とが係合して、蓋板６１の閉じた状態が保持される。
【００３３】
図７（１）は、図５中の球通路１１と羽根車２０の上端部との連絡箇所の付近を拡大した図であり、図７（２）は、図７（１）と同じ箇所を対象に、扉部材６０のバネ板部６３が変形している例を示す。図８は、図７（２）と同様の状態を図４中のＢ−Ｂ線に沿う縦断面図により示すものである。図９は、高さ中央部が破断された正面図により、扉部材６０が完全に開放された状態を示すものである。
以下、これらの図および［課題を解決するための手段］で用いた図１０を参照して、落下通路１１０内の球詰まりを防ぐための仕組みを説明する。
【００３４】
図７（１）（２）に示すように、この実施例の羽根車２０の各羽根板２１の上端面は、球通路１１内に入って上向き状態になったときに窓孔１５を含む右側板１０４に向かって下がるように、羽根車２０の軸心に沿って傾斜している。
羽根車２０の停止により球通路１１内に上向き状態で定位した羽根板２１には、球通路１１を含む落下通路１１０内の全てのパチンコ球Ｐによる荷重がかかる。この荷重による力Ｇは、羽根板２１の上端面の傾斜方向に直交する分力Ａと傾斜方向に沿う分力Ｂとに分けられる（図１０を参照）。それらの分力のうち傾斜方向に沿う分力Ｂが、上向き状態の羽根板２１に支持される最下位置のパチンコ球Ｐ０を窓孔１５の方に押圧する力となる。
【００３５】
上向き状態の羽根板２１にかかる荷重が比較的小さい場合には、最下位置のパチンコ球Ｐ０を押圧する分力Ｂも同様に小さくなり、蓋板６１に対する付勢力の方が大きくなるため、扉部材６０のバネ板部６３を変形させるだけの力は生じず、鉤状突片６６と受け部１７との係合が維持される。この状態を示したものが図５および図７（１）である。
【００３６】
上向き状態の羽根板２１に強い荷重がかかると、最下位置のパチンコ球Ｐ０を押す分力Ｂも強まる。そして、図７（２）および図８に示すように、最下位置のパチンコ球Ｐ０はバネ板部６３を強く押圧する位置まで転がって、バネ板部６３の支えのない上半分が外側に変位して蓋板６１の凹部６７に嵌まる。この変位に伴い、バネ板部６３の下端の掛け金部６５も持ち上げられて鉤状突片６６と受け部１７との係合が外れる。さらに押圧力が強まると、図９に示すように、バネ板部６３を含む扉部材６０全体が外方向に大きく回転して窓孔１５が開放され、バネ板部６３を押圧していた最下位置のパチンコ球Ｐ０が開放された窓孔１５から外に飛び出す。
【００３７】
落下通路１１０内のパチンコ球がスムーズに落下可能な状態である間は、最下位置のパチンコ球を押す力はバネ板部６３を変形させるほどの大きさにはならないため、図５や図７（１）に示すように、掛け金部６５の鉤状突片６６と受け部１７との係合が保持され、蓋板６１により窓孔１５が塞がれた状態も維持される。
される。
【００３８】
しかし、落下通路１１０内が球詰まり状態に近い状態となって、上向き状態の羽根板２１に強い荷重が加えられると、最下位置のパチンコ球Ｐ０に対する押圧力も強まり、押圧されたパチンコ球Ｐ０の押圧力によってバネ板部６３が変形して鉤状突片６６と受け部１７との係合が外れ、窓孔１５が開放されてパチンコ球Ｐ０が排出される。
この排出によって上向き状態の羽根板２１にかかる荷重が弱まると、後続のパチンコ球Ｐが当該羽根板２１に接したときの分力Ｂも弱まり、その間にバネ７０の復元力により扉部材６０が元の位置に戻る。したがって、バネ７０による付勢力を十分に強めておけば、扉部材６０が勢いよく元の位置に戻ってバネ板部６３がケース体１００の中に入り、掛け金部６５の鉤状突片６６と受け部１７とが再び係合し、窓孔１５を再び蓋板６１により塞ぐことが可能になる。
【００３９】
このように、ケース体１００内の球通路１１を含む落下通路１１０の内部で連なるパチンコ球Ｐによって羽根車２０の回転に支障を与えるような荷重がかかった場合には、最下位置のパチンコ球Ｐ０が球通路１１の通路壁の外側へと送り出されて荷重が弱められる。よって、落下通路１１０が球詰まり状態になりそうな場合には、自然にその状態が解消されるので、店員らの作業の負担が軽減される。また球詰まりによって遊技の進行が妨げられるのを防ぐことができる。
また、最下位置のパチンコ球Ｐ０の排出は、パチンコ遊技機１の本体枠３の裏側で行われるので、排出されたパチンコ球を遊技に影響のない場所で処理することができる。
【００４０】
また、万一、最下位置のパチンコ球Ｐ０が送り出された後の扉部材６０の復帰が不完全で、後続のパチンコ球Ｐが戻りかけのバネ部６３と羽根板２１との間に挟まれるなどして球詰まりが生じたとしても、蓋板６１を持ち上げてパチンコ球Ｐを取り出すことができるので、球詰まりを容易に解消することができる。
【符号の説明】
【００４１】
１  パチンコ遊技機
１０  払出装置
１１，１２  球通路
１５  窓孔
１６  支持部材
１７  受け部
２０  羽根車
２１  羽根板
６１  蓋板
６２  ヒンジ軸
６３  バネ板部
６５  掛け金部
６６  鉤状突片
１００  ケース体
１１０  落下通路
１２０  払出通路
１５０  球タンク
Ｐ  パチンコ球
【図１】
2014132945.tif 000003
【図２】
2014132945.tif 000004
【図３】
2014132945.tif 000005
【図４】
2014132945.tif 000006
【図５】
2014132945.tif 000007
【図６】
2014132945.tif 000008
【図７】
2014132945.tif 000009
【図８】
2014132945.tif 000010
【図９】
2014132945.tif 000011
【図１０】
2014132945.tif 000012